(57)【要約】【課題】看板の現況調査と管理を効率化する。【解決手段】看板５に、看板ＩＤ、設置場所、設置日時、所有者情報などを記録したＲＦ-ＩＤ１を貼付する。看板５の現況調査員は、端末システム２でＲＦ-ＩＤ１に記録された情報を読み出し、読み出した看板ＩＤに対応する登録看板レコードの内容を公有地占用看板管理サーバ４から取得し表示部２２５に表示する。読み出した看板ＩＤに対応する登録看板レコードが公有地占用看板管理サーバ４に存在しなかった場合、ＲＦ-ＩＤ１から読み出した情報を表示部２２５に表示する。看板５の現況調査員は、表示された情報を参照しつつ看板５の現況を表す情報を編修し、公有地占用看板管理サーバ４に未登録看板レコードとして登録する。【選択図】図１
2006209604.tif 000002
【特許請求の範囲】
【請求項１】
公有地上空を占用する看板毎に対応して当該看板または当該看板近傍に設置された、非接触で記録情報を読み出し可能な記録装置と、
前記記録装置から、非接触で前記記録情報を読み出し表示する、携帯型の端末装置とを有し、
前記記録装置には、前記記録情報として、当該記録装置に対応する看板の識別子を表す情報と、当該記録装置に対応する看板の設置位置を示す情報と、当該記録装置に対応する看板の占用規模を示す情報と、当該記録装置に対応する看板の設置日時を示す情報と、当該記録装置に対応する看板の所有者を示す情報のうちの少なくとも一つの情報が記録されていることを特徴とする看板管理システム。
【請求項２】
公有地上空を占用する看板毎に対応して当該看板または当該看板近傍に設置された、非接触で記録情報を読み出し可能な記録装置と、
携帯型の端末装置と、
前記端末装置が無線体通信を介してアクセス可能なサーバ装置とを有し、
前記記録装置に記録された前記記録情報は、当該記録装置に対応する看板の識別子を表す看板識別情報を含み、
前記サーバ装置は、
各看板の管理情報を前記看板識別情報と対応づけて記録した看板データベースと、
前記端末装置から受信した、管理情報要求に応答して、当該管理情報要求に含まれる看板識別情報と対応づけて前記看板データベースに記録されている前記管理情報を、当該管理情報要求の発行元の端末装置に送信する管理情報提供手段とを有し、
前記端末装置は、
前記記録装置から、非接触で前記記録情報を読み出す記録情報読出手段と、
前記記録情報読出手段が前記記録装置から読み出した記録情報に含まれる看板識別情報を含めた前記管理情報要求を前記サーバ装置に発行し、発行した前記管理情報要求の応答として前記サーバ装置から受信した管理情報を取得する管理情報取得手段と、
前記管理情報取得手段が取得した管理情報を表示する管理情報表示手段とを有することを特徴とする看板管理システム。
【請求項３】
請求項２記載の看板管理システムであって、
前記サーバ装置は、
地図を表す地図データを記憶した地図データベースを有し、
前記管理情報は看板の設置位置を示す設置位置情報を含み、
前記管理情報提供手段は、前記管理情報要求の発行元の端末装置に送信する際に、当該管理情報と共に、前記地図データベースから読み出した地図データが示す、当該管理情報に含まれる設置位置情報が示す位置周辺の地図上に、当該管理情報に含まれる設置位置情報が示す位置を表示した看板位置表示地図を送信し、
前記端末装置の管理情報表示手段は、受信した看板位置表示地図を表示することを特徴とする看板管理システム。
【請求項４】
請求項２記載の看板管理システムであって、
前記端末装置は、
看板の現況を表す現況情報の入力を受け付ける現況情報入力手段と、
前記現況情報入力手段が入力を受け付けた現況情報と、前記記録情報読出手段が前記記録装置から読み出した記録情報に含まれる看板識別情報とを伴う看板現況情報登録要求を、前記サーバ装置に発行する看板現況情報登録要求手段を有し、
前記サーバ装置は、
看板現況データベースと、
前記看板現況情報登録要求を受信した場合に、受信した看板現況情報登録要求に伴う看板識別情報と現況情報とを対応づけて、前記看板現況データベースに格納する看板現況情報登録手段を有することを特徴とする看板管理システム。
【請求項５】
請求項４記載の看板管理システムであって、
前記現況情報入力手段は、前記管理情報取得手段が取得した管理情報を下書きとして用いた現況情報の入力を受け付けることを特徴とする看板管理システム。
【請求項６】
請求項４記載の看板管理システムであって、
前記記録装置に記録された前記記録情報は、当該記録装置に対応する看板の設置位置を示す情報と、当該記録装置に対応する看板の占用規模を示す情報と、当該記録装置に対応する看板の設置日時を示す情報と、当該記録装置に対応する看板の所有者を示す情報のうちの少なくとも一つの情報を含み、
前記現況情報入力手段は、前記記録情報読出手段が前記記録装置から読み出した記録情報を下書きとして用いた現況情報の入力を受け付けることを特徴とする看板管理システム。
【請求項７】
公有地上空を占用する看板毎に対応して当該看板または当該看板近傍に設置された、非接触で記録情報を読み出し可能な記録装置と、
携帯型の端末装置と、
前記端末装置が無線体通信を介してアクセス可能なサーバ装置とを有し、
前記記録装置に記録された前記記録情報は、当該記録装置に対応する看板の識別子を表す看板識別情報と、当該記録装置に対応する看板の設置位置を示す設置位置情報を含み、
前記サーバ装置は、
地図を表す地図データを記憶した地図データベースと、
前記端末装置から受信した、地図要求に応答して、前記地図データベースから読み出した地図データが示す、当該地図要求に含まれる位置情報が示す位置周辺の地図上に、当該地図要求に含まれる位置情報が示す位置を表示した看板位置表示地図を、当該地図要求の発行元の端末装置に送信する看板位置表示地図提供手段とを有し、
前記端末装置は、
前記記録装置から、非接触で前記記録情報を読み出す記録情報読出手段と、
前記記録情報読出手段が前記記録装置から読み出した記録情報に含まれる設置位置情報が示す位置を示す位置情報を含めた前記地図要求を前記サーバ装置に発行し、発行した前記地図要求の応答として前記サーバ装置から受信した看板位置表示地図を取得する看板位置表示地図取得手段と、
前記看板位置表示地図取得手段が取得した看板位置表示地図を表示する看板位置表示地図表示手段とを有することを特徴とする看板管理システム。
【請求項８】
請求項３または７記載の看板管理システムであって、
前記地図データベースに記憶された地図データは、看板の管理種別毎の区分けの表示を含む地図を表すことを特徴とする看板管理システム。
【請求項９】
請求項１、２、３、４、５、６、７または８記載の看板管理システムであって、
前記記録装置は、電波で記録情報を送信する看板に設置された記録装置であって、
前記端末装置は、前記記録装置の送信する電波に少なくとも基づいて、当該記録装置の位置を測定する測定手段を有することを特徴とする看板管理システム。
【発明の詳細な説明】
【技術分野】
【０００１】
本発明は、道路などの公有地上空を占用する看板を管理する看板管理システムに関するものである。
【背景技術】
【０００２】
道路などの公有地上空を占用する看板の設置に際しては、国や地方自治体から占用許可を受ける必要がある。また、このような公有地上空を占用する看板に対しては、国や地方自治体から占用料が課されることが一般的である。そして、このような公有地上空を占用する看板の国や地方自治体による管理は、占用許可申請などの看板の所有者の自己申告のみに基づいて行われることが多い。
【０００３】
なお、一般の看板を管理する技術としては、看板を撮影した画像と看板の位置の情報を登録するデータベースを設け、当該データベースに、カメラとＧＰＳ受信機を備えた携帯端末から、カメラで撮影した看板の画像と、ＧＰＳ受信機によって取得した当該撮影時の携帯端末の位置とを登録する技術が知られている。
【発明の開示】
【発明が解決しようとする課題】
【０００４】
さて、国や地方自治体において、公有地上空を占用する看板を適正に管理するためには、現況調査を踏まえた管理を行う必要がある。一方で、看板の数は膨大であり、また、看板の現況調査には、個々の看板の識別と登録の有無を確認する煩雑な作業が伴う。したがって、地方自治体における看板の現況調査の負担は過大なものとなりがちである。
【０００５】
そこで、本発明は、より効率的に看板の現況調査と管理を行える看板管理システムを提供することを課題とする。
【課題を解決するための手段】
【０００６】
前記課題達成のために、本発明は、公有地上空を占用する看板毎に対応して当該看板または当該看板近傍に設置された、非接触で記録情報を読み出し可能な記録装置と、前記記録装置から、非接触で前記記録情報を読み出し表示する、携帯型の端末装置とを含む看板管理システムを提供する。ここで、前記記録装置には、前記記録情報として、当該記録装置に対応する看板の識別子を表す情報と、当該記録装置に対応する看板の設置位置を示す情報と、当該記録装置に対応する看板の占用規模を示す情報と、当該記録装置に対応する看板の設置日時を示す情報と、当該記録装置に対応する看板の所有者を示す情報のうちの少なくとも一つの情報が記録されている。
【０００７】
このような看板管理システムによれば、看板の現況調査員は、端末装置に、看板又は看板近傍に設定された記録装置に記録されている記録情報の読み出しを行わせるだけで、その看板に関する情報を得ることができる。そして、得られた情報より、看板が占用許可を得ている看板であるかどうかや、許可通りの現況を有しているかどうかを簡単に調べ出し、占用許可を得ていない場合や、許可通りの現況を有していない場合には、その看板所有者に対して必要な処置をとるように手配することができる。
【０００８】
また、前記課題達成のために、本発明は、公有地上空を占用する看板毎に対応して当該看板または当該看板近傍に設置された、非接触で記録情報を読み出し可能な記録装置と、携帯型の端末装置と、前記端末装置が無線体通信を介してアクセス可能なサーバ装置とを含む看板管理システムを提供する。ここで、前記記録装置に記録された前記記録情報は、当該記録装置に対応する看板の識別子を表す看板識別情報を含み、前記サーバ装置は、各看板の管理情報を前記看板識別情報と対応づけて記録した看板データベースと、前記端末装置から受信した、管理情報要求に応答して、当該管理情報要求に含まれる看板識別情報と対応づけて前記看板データベースに記録されている前記管理情報を、当該管理情報要求の発行元の端末装置に送信する管理情報提供手段とを有し、前記端末装置は、前記記録装置から、非接触で前記記録情報を読み出す記録情報読出手段と、前記記録情報読出手段が前記記録装置から読み出した記録情報に含まれる看板識別情報を含めた前記管理情報要求を前記サーバ装置に発行し、発行した前記管理情報要求の応答として前記サーバ装置から受信した管理情報を取得する管理情報取得手段と、前記管理情報取得手段が取得した管理情報を表示する管理情報表示手段とを備える。
【０００９】
このような看板管理システムによれば、看板データベースに占用許可を与えた看板の管理情報を看板識別情報と対応づけて記録しておくことにより、現況調査員は、端末装置を用いて、調査している看板又は看板近傍に設定された記録装置に記録されている記録情報の読み出しを行うだけで、管理情報の取得の正否より、その看板が、占用許可を得ているかいないかを知ることができる。また、その看板が占用許可を得ているものである場合には、直ちに、取得した管理情報に基づいて現況が管理情報が示す状況と一致するかどうかを調査することができる。すなわち、たとえば、管理情報に占用許可申請書の内容を含ませておけば、現況が占用許可申請の内容通りのものであるかどうかを直ちに調べることができる。
【００１０】
ここで、このような看板管理システムは、前記サーバ装置に地図を表す地図データを記憶した地図データベースを設け、前記管理情報に看板の設置位置を示す設置位置情報を含め、前記管理情報提供手段において、前記管理情報要求の発行元の端末装置に送信する際に、当該管理情報と共に、前記地図データベースから読み出した地図データが示す、当該管理情報に含まれる設置位置情報が示す位置周辺の地図上に、当該管理情報に含まれる設置位置情報が示す位置を表示した看板位置表示地図を送信し、前記端末装置の管理情報表示手段において、受信した看板位置表示地図を表示するようにしてもよい。
【００１１】
このようにすることにより現況調査員は、地図上で、調査対象の看板の管理情報に登録されている看板の位置を把握し、現実の看板の位置と一致するかどうかを直ちに判定することができるようになる。
ここで、このようなサーバ装置を備えた看板管理システムは、前記端末装置に、看板の現況を表す現況情報の入力を受け付ける現況情報入力手段と、前記現況情報入力手段が入力を受け付けた現況情報と、前記記録情報読出手段が前記記録装置から読み出した記録情報に含まれる看板識別情報とを伴う看板現況情報登録要求を、前記サーバ装置に発行する看板現況情報登録要求手段とを設け、前記サーバ装置に、看板現況データベースと、前記看板現況情報登録要求を受信した場合に、受信した看板現況情報登録要求に伴う看板識別情報と現況情報とを対応づけて、前記看板現況データベースに格納する看板現況情報登録手段を備えるようにしてもよい。
【００１２】
このようにすることにより、看板データベースに占用許可を得ている看板の管理情報を看板識別情報と対応づけて記録しておくことにより、その看板が占用許可を得ていない看板であることを直ちに知ることができると共に、その看板の現況をサーバ装置に登録することができる。また、その看板が占用許可を得ている看板である場合であって、登録看板レコードに登録されている占用申請の内容と現況が一致していない場合に、その看板の現況をサーバ装置に登録することができる。そして、このようにしてサーバ装置に登録された各看板の現況に基づいて、占用許可を得ていない看板や、占用申請の内容と現況が異なる看板に対して、必要な処置を手配することができるようになる。
【００１３】
また、この場合には、前記現況情報入力手段において、前記管理情報取得手段が取得した管理情報を下書きとして用いた現況情報の入力を受け付けるようにしてもよい。または、前記記録装置に記録された前記記録情報を、当該記録装置に対応する看板の設置位置を示す情報と、当該記録装置に対応する看板の占用規模を示す情報と、当該記録装置に対応する看板の設置日時を示す情報と、当該記録装置に対応する看板の所有者を示す情報のうちの少なくとも一つの情報を含むものとし、前記現況情報入力手段において、前記記録情報読出手段が前記記録装置から読み出した記録情報を下書きとして用いた現況情報の入力を受け付けるようにしてもよい。
【００１４】
これらのようにすることにより、現況調査員の現況情報の入力を容易化することができる。
また、前記課題達成のために、本発明は、公有地上空を占用する看板毎に対応して当該看板または当該看板近傍に設置された、非接触で記録情報を読み出し可能な記録装置と、携帯型の端末装置と、前記端末装置が無線体通信を介してアクセス可能なサーバ装置とを含めて看板管理システムを構成したものである。そして、前記記録装置に記録された前記記録情報は、当該記録装置に対応する看板の識別子を表す看板識別情報と、当該記録装置に対応する看板の設置位置を示す設置位置情報を含むものとし、前記サーバ装置に、地図を表す地図データを記憶した地図データベースと、前記端末装置から受信した、地図要求に応答して、前記地図データベースから読み出した地図データが示す、当該地図要求に含まれる位置情報が示す位置周辺の地図上に、当該地図要求に含まれる位置情報が示す位置を表示した看板位置表示地図を、当該地図要求の発行元の端末装置に送信する看板位置表示地図提供手段とを設け、前記端末装置に、前記記録装置から、非接触で前記記録情報を読み出す記録情報読出手段と、前記記録情報読出手段が前記記録装置から読み出した記録情報に含まれる設置位置情報が示す位置を示す位置情報を含めた前記地図要求を前記サーバ装置に発行し、発行した前記地図要求の応答として前記サーバ装置から受信した看板位置表示地図を取得する看板位置表示地図取得手段と、前記看板位置表示地図取得手段が取得した看板位置表示地図を表示する看板位置表示地図表示手段とを設けたものである。
【００１５】
このような看板管理システムによれば、現況調査員は、端末装置を用いて調査している看板又は看板近傍に設定された記録装置に記録されている記録情報の読み出しを行うだけで、その看板の位置を地図上で直ちに確認すことができる。
ところで、前記地図データベースに記憶された地図データは、看板の管理種別毎の区分けの表示を含む地図を表すものとしてもよい。このようにすることにより、看板の占用許可位置や、看板の位置が、どのような看板の管理種別に対応する区域内の位置（たとえば、看板設置禁止区域内の位置など）に存在するのかを地図上で直ちに知ることができる。
【００１６】
なお、以上の各看板管理システムは、前記記録装置を、電波で記録情報を送信する看板に設置された記録装置とし、前記端末装置に、前記記録装置の送信する電波に少なくとも基づいて、当該記録装置の位置を測定する測定手段を備えるようにすれば、看板の設置位置の現況を容易に測定することができるようになる。
【発明の効果】
【００１７】
以上のように、本発明によれば、より効率的に看板の現況調査と管理を行える看板管理システムを提供することができる。
【発明を実施するための最良の形態】
【００１８】
以下、本発明の実施形態について説明する。
図１ａに、本実施形態に係る看板管理システムの構成を示す。
図示するように、看板管理システムは、壁面看板や突き出し看板５に貼付されたＲＦ-ＩＤ１、看板５の現況調査員が携帯する端末システム２、端末システム２がＷＡＮ３を介してアクセス可能な公有地占用看板管理サーバ４とを含んで構成される。
ここで、ＲＦ-ＩＤ１は、ＩＣタグなどとしても知られる非接触で記録情報にリード／ライトアクセス可能な記憶装置である。また、ＷＡＮ３はたとえばインターネットなどであり、端末システム２は移動体通信を介して、公衆移動電話網上に配置されたアクセスポイントを経由してＷＡＮ３に接続する。
【００１９】
次に、図１ｂに、端末システム２と、公有地占用看板管理サーバ４の構成を示す。
図示するように、公有地占用看板管理サーバ４は、看板データベース４１、地図データベース４２、登録編集部４３、データ加工部４４、看板データサーバ４５とを含んで構成される。
また、端末システム２は、携帯電話などと呼称される移動電話機２１、携帯端末２２より構成される。そして、携帯端末２２は、移動電話機２１と接続し、接続した移動電話機２１を介した移動体通信を制御するインタフェース２２１、制御部２２２、カメラ２２３、操作部２２４、表示部２２５、衛星測位により現在位置を算出するＧＰＳ受信機２２６、ＲＦ-ＩＤ１に記録された記録情報を非接触で読み出すリーダ２２７とを備えている。
【００２０】
次に、看板５に貼付されたＲＦ-ＩＤ１に予め記録される記録情報を図２ａに示す。
図示するように、ＲＦ-ＩＤ１には、看板５の製造施行者、または、看板５の製造施行者にＲＦ-ＩＤ１を提供する国や地方自治体によって、予め、ＲＦ-ＩＤ毎に固有値をとる看板ＩＤが記憶されている。また、看板５の製造施行者等は、ＲＦ-ＩＤ１に、ＲＦ-ＩＤ１が貼付される看板５の設置箇所を示す座標や住所を示す設置場所、看板５の設置高さや看板５の公有地への出幅や看板５の表示面の面積などの占用規模を示す設置看板情報、看板５の設置日時を表す設置日時、看板５の所有者の氏名や連絡先などを示す所有者情報を登録することができる。そして、ＲＦ-ＩＤ１は看板５の製造施行者によって看板５に貼付され、ＲＦ-ＩＤ１が貼付された看板５が設置施行される。
【００２１】
次に、図２ｂ、ｃに、公有地占用看板管理サーバ４の看板データベース４１に格納される登録看板データと未登録看板データを示す。
登録看板データは、看板５の所有者に対して占用許可が発行されている看板毎に設けられた登録看板レコードを有し、各登録看板レコードには、図２ｂに示すように、看板５に貼付されているＲＦ-ＩＤ１に記録されている看板ＩＤ、看板５の管理番号を表す登録番号、看板５の設置箇所を示す座標や住所を示す設置場所、看板５の設置高さや看板５の公有地への出幅や看板５の表示面の面積などの占用規模を示す設置看板情報、看板５の設置日時を表す設置日時、看板５の所有者の氏名や連絡先などを示す所有者情報、設置された看板５を撮影した看板設置箇所画像が登録される。
【００２２】
なお、このような登録看板レコードは、登録編集部４３が、オペレータの操作などに応じて編集登録する。
また、未登録看板データは、現況調査により発見された占用許可が取得されていない看板５と、占用許可が取得されているが現況調査により確認した現況が、その看板５の登録看板レコードが示す状況と異なる看板５とのそれぞれについて設けられた未登録看板レコードを有する。そして、各未登録看板レコードには、図２ｃに示すように、その看板５に貼付されているＲＦ-ＩＤ１に記録されている看板ＩＤ、看板５の管理番号を表す登録番号、看板５の設置箇所を示す座標や住所を示す設置場所、看板５の設置高さや看板５の公有地への出幅や看板５の表示面の面積などの占用規模を示す設置看板情報、看板５の現況確認日時を表す確認日時、看板５の所有者の氏名や連絡先などを示す所有者情報、看板５を撮影した看板設置箇所画像が登録される。ただし、看板５の管理番号を表す登録番号は、その看板５が、占用許可が取得されているが現況調査により確認した現況が、その看板５の登録看板レコードが示す状況と異なる看板５である場合にのみ登録されることになる。
【００２３】
次に、図２ｄに、公有地占用看板管理サーバ４の地図データベース４２の内容を示す。
図示するように、地図データベース４２には、一般地図を表す地図データや住居表示地図を表す住居表示地図データなどの各種地図を表すデータと、看板５の管理種別毎の区域を表す看板管理種別区域データが格納される。なお、看板５の管理種別毎の区域としては、看板設置が禁止される区域などの看板占用許可条件毎の区域や、看板占用料の算定法毎の区域がある。
【００２４】
以下、このような看板管理システムの動作について説明する。
図３に、端末システム２の携帯端末２２の制御部２２２が行う看板確認処理の手順を、図４に、看板管理システムの動作シーケンス例を示す。
さて、看板５の現況調査員は、端末システム２を携帯して調査したい看板設置箇所に赴き、操作部２２４に対して確認開始操作を行う。
制御部２２２は、確認開始操作が発生したならば（ステップ３０２）、リーダ２２７に、看板５に貼付されたＲＦ-ＩＤ１に記録された記録情報を読み込ませる（ステップ３０４、Ｓ４０１）。また、ＧＰＳ受信機２２６より現在位置を取得する（ステップ３０６）。
【００２５】
そして、移動電話機２１、ＷＡＮ３を介して公有地占用看板管理サーバ４の看板データサーバ４５にアクセスし、ＲＦ-ＩＤ１から読み出した看板ＩＤとＧＰＳ受信機２２６より取得した現在位置をパラメータとする看板データ問い合わせを発行する（ステップ３０８、Ｓ４０２）。また、ＲＦ-ＩＤ１から読み出した記録情報に設置場所が含まれる場合には、この設置場所も看板データ問い合わせのパラメータに含める。
【００２６】
看板データ問い合わせを受け取った看板データサーバ４５は、データ加工部４４に、パラメータとして受け取った看板ＩＤと現在位置を引き渡し、引き渡した看板ＩＤを持つ看板５の登録看板情報の生成を要求する。ただし、パラメータに設置場所が含まれる場合には設置場所もデータ加工部４４に引き渡す。データ加工部４４は、受け取った看板ＩＤを持つ登録看板レコードを看板データベース４１より探索し（Ｓ４０３）、探索が成功したならば、探索した登録看板レコードに登録されている設置場所周辺の各地図や看板管理種別区域の情報を地図データベース４２から読み出す（Ｓ４０４）。そして、探索した登録看板レコードに登録されている各情報と読み出した各地図と看板管理種別区域の情報より登録看板情報を編集し（Ｓ４０５）、看板データサーバ４５に応答する。なお、受け取った看板ＩＤを持つ登録看板レコードの探索が失敗した場合、すなわち、受け取った看板ＩＤを持つＲＦ-ＩＤ１が貼付された看板５が未占用許可の看板５であり、この看板ＩＤを持つ登録看板レコードが看板データベース４１に存在しなかった場合については後述する。
【００２７】
さて、登録看板情報を受け取った看板データサーバ４５は、この登録看板情報を携帯端末２２に送信する（Ｓ４０６）。
携帯端末２２の制御部２２２は、看板データ問い合わせの応答として、登録看板情報を受け取ることができたならば（ステップ３１０）、表示部２２５の表示画面上に、登録看板情報表示ウインドウを設定し、登録看板情報表示ウインドウ中に登録看板情報を表示する（ステップ３１２、Ｓ４０７）。
【００２８】
ここで、図５ａに登録看板情報表示ウインドウを示す。図示するように、看板データサーバ４５から送信され、登録看板情報表示ウインドウに表示される登録看板情報は、データ加工部４４が探索した登録看板レコードに登録されている看板ＩＤ、登録番号、設置場所、設置看板情報、設置日時、所有者情報の各情報５０１と、データ加工部４４が探索した登録看板レコードに登録されている看板設置箇所画像５０２を含むものである。また、データ加工部４４が探索した登録看板レコードに登録されている設置場所と、データ加工部４４が探索した設置場所周辺の地図や住居表示地図と、データ加工部４４が探索した設置場所周辺の看板管理種別区域とより、データ加工部４４が編集したＧＩＳ画像５０３を含むものである。ここで、このＧＩＳ画像５０３は、図示するように地図や住居表示地図上に、看板管理種別区域５０４と、データ加工部４４が探索した登録看板レコードに登録されている設置場所を示すマーク５０５とを表したものである。なお、図示した例では、看板管理種別区域５０４を、区域に対応する看板管理種別に応じて色分け表示することにより表している。なお、制御部２２２は、このようなＧＩＳ画像５０３上に、ＧＰＳ受信機２２６から取得した現在位置を示す現在位置マーク５０６も表示するようにしてもよい。
【００２９】
さて、登録看板情報表示ウインドウには、さらに、ＧＩＳ画像５０３を拡大縮小させるための拡大／縮小ボタン５１１と、確認ボタン５１２と、現況相違ボタン５１３が設けられている。
現況調査員は、登録看板情報表示ウインドウに表示される登録看板情報と現況を照らし合わせ、現況が登録看板情報通りであれば確認ボタン５１２を操作し、現況が登録看板情報と相違していれば、現況相違ボタン５１３を操作する。
制御部２２２は、現況相違ボタン５１３が操作されたならば（ステップ３１４）、ステップ３１８に進み、確認ボタン５１２が操作されたならば（ステップ３１６）、この看板５についての処理を終了し、登録看板情報表示ウインドウを閉じてステップ３０２に戻り、次の確認開始操作の入力を待つ。
【００３０】
さて、携帯端末２２が看板５に貼付されたＲＦＩＤから記録情報を読み出して（Ｓ４１１）行う、看板データ問い合わせ（Ｓ４１２）を受けた看板データサーバ４５から登録看板情報の生成を要求されたデータ加工部４４が、受け取った看板ＩＤを持つ登録看板レコードの探索が、そのような登録看板レコードが存在しないために失敗した場合（Ｓ４１３）、データ加工部４４は、看板データサーバ４５から受け取った現在位置周辺の各地図や看板管理種別区域の情報を地図データベース４２から読み出す（Ｓ４１４）。そして、読み出した各地図と看板管理種別区域の情報より周辺地図情報を編集し（Ｓ４１５）、看板データサーバ４５に応答する。ただし、登録看板情報生成要求を受けたときに看板データサーバ４５から設置場所も引き渡されている場合には、周辺地図情報の編集に、この設置場所も用いる。
【００３１】
周辺地図情報を応答された看板データサーバ４５は、この周辺地図情報を携帯端末２２に送信する（Ｓ４１６）。
携帯端末２２の制御部２２２は、看板データ問い合わせの応答として、登録看板情報を受け取ることができなかった場合（ステップ３１０）、すなわち、看板データ問い合わせの応答として、周辺地図情報を受け取った場合には、表示部２２５の表示画面上に、この未登録看板情報入力ウインドウを設定し、未登録看板情報入力ウインドウ中に周辺地図情報を表示する（ステップ３１８、Ｓ４１７）。
【００３２】
ここで、図５ｂに未登録看板情報入力ウインドウを示す。看板データサーバ４５から送信され、未登録看板情報入力ウインドウに表示される周辺地図情報は携帯端末２２の現在位置周辺の地図や住居表示地図と、当該現在位置周辺の看板管理種別区域とより、図示するようにデータ加工部４４が編集した周辺地図画像５２１を表すものである。ここで、この周辺地図画像５２１は、図示するように現在位置周辺の地図や住居表示地図上に、看板管理種別区域５２２を表したものである。ただし、携帯端末２２が発行した看板データのパラメータにＲＦ-ＩＤ１から読み出した設置場所が含まれていた場合には、前述のように、周辺地図画像５２１は、携帯端末２２の現在位置周辺の地図や住居表示地図と、現在位置周辺の看板管理種別区域と、ＲＦ-ＩＤ１から読み出した設置場所とよりデータ加工部４４によって編集される。そして、編集された周辺地図画像５２１は、現在位置周辺の地図や住居表示地図上に、看板管理種別区域５２２に加え、ＲＦ-ＩＤ１から読み出した設置場所の位置を示すマーク５４１を表示したものとなる。
【００３３】
ここで、制御部２２２は、このような周辺地図画像５２１上に、ＧＰＳ受信機２２６から取得した現在位置を示す現在位置マーク５２３も表示する。
また、この未登録看板情報入力ウインドウには、ＲＦ-ＩＤ１から読み出した看板ＩＤの表示５２４を含める。また、登録番号、設置場所、設置看板情報、設置日時、所有者情報、確認日時の各項目の情報の入力ボックス５２５と、看板設置箇所画像の入力ボックス５２６を設ける。そして、もし、ＲＦ-ＩＤ１から読み出した記録情報に設置場所、設置看板情報、設置日時、所有者情報のいずれかの項目の情報が含まれていれば、その情報を対応する項目の入力ボックス５２５に自動入力する。また、確認日時の入力ボックス５２５には、現在日時を自動入力する。なお、これら自動入力した情報は、以下に示す通り現況調査員が適宜変更可能である。
【００３４】
さて、未登録看板情報入力ウインドウには、さらに、周辺地図画像５２１を拡大縮小させるための拡大／縮小ボタン５３１と、撮影ボタン５３２と、登録ボタン５３３が設けられている。
さて、携帯端末２２の制御部２２２は、未登録看板情報入力ウインドウを表示したならば、撮影ボタン５３２の操作（ステップ３２０）と入力ボックス５２５への入力（ステップ３２２）と登録ボタン５３３の操作（ステップ３２４）を監視する。
そして、撮影ボタン５３２の操作が発生したならば、適当なカメラ撮影用のＧＵＩを提供して、ユーザ操作に応じてカメラ２２３に画像撮影を行わせ、カメラ２２３で撮影された画像を看板設置箇所画像の入力ボックス５２６に入力する（ステップ３２８、Ｓ４１８）。現況調査員は、この撮影ボタン５３２を操作することにより、調査中の看板設置箇所の画像を撮影する。
【００３５】
また、入力ボックス５２５への入力（ステップ３２２）があったならば、その入力を受け付けて保持する（ステップ３３０、Ｓ４１９）。なお、入力ボックス５２５への入力のうち、設置場所の入力については、図５ｂに示すようなカーソル５２７を用いたユーザの周辺地図画像５２１上の位置指定に応じて、指定された位置に対応する周辺地図画像５２１上の地点の座標や住所を、設置場所として入力することにより行うようにしてもよい。現況調査員は、この入力ボックス５２５への入力を行うことにより、現況調査で確認できた看板５の現況情報を入力する。ただし、ここでは現況調査で確認できた項目のみを入力して良い。
【００３６】
そして、登録ボタン５３３の操作（ステップ３２４）が発生したならば、移動電話機２１、ＷＡＮ３を介して公有地占用看板管理サーバ４の看板データサーバ４５に接続し、表示している看板ＩＤ５２４の値と、入力ボックス５２５に入力されている各情報と、入力ボックス５２６に入力されている画像を伴う未登録看板登録要求を発行し（ステップ３２６、Ｓ４２０）、この看板５についての処理を終了し、登録看板情報表示ウインドウを閉じてステップ３０２に戻り、次に確認開始操作の入力を待つ。
【００３７】
一方、未登録看板登録要求を受け取った看板データサーバ４５は、看板データベース４１の未登録看板データに新たな未登録看板レコードを生成し、未登録看板登録要求と共に受け取った看板ＩＤの値と、各情報と、画像とを格納する。このとき、受け取った看板ＩＤの値は看板ＩＤとして、受け取った各情報はその情報が入力された入力ボックスの項目に対応する未登録看板レコードの項目の値として、受け取った画像は看板設置箇所画像として、未登録看板レコードに登録する。
【００３８】
さて、図３のステップ３１４に戻り、登録看板情報表示ウインドウで、現況相違ボタン５１３が操作されたならば（ステップ３１４）、ステップ３１８に進み、以上の処理を行う。ただし、この場合には、周辺地図画像５２１として、先に看板データサーバ４５から取得した登録看板情報に含まれるＧＩＳ画像５０３を用いる。また、登録看板情報表示ウインドウ表示時に、入力ボックス５２５の登録番号、設置場所、設置看板情報、設置日時、所有者情報の項目には、先に看板データサーバ４５から取得した登録看板情報に含まれる登録番号、設置場所、設置看板情報、設置日時、所有者情報の各情報を自動入力する。また、看板設置箇所画像の入力ボックス５２６には、先に看板データサーバ４５から取得した登録看板情報に含まれる看板設置箇所画像を自動入力する。なお、これら自動入力した情報や画像は、上述の通り現況調査員が適宜変更可能である。
【００３９】
以上、本発明の実施形態について説明した。
以上のように本実施形態によれば、現況調査員は、調査している看板５が、公有地占用看板管理サーバ４の看板データベース４１に対応する登録看板レコードが存在している看板５すなわち占用許可を得ている看板５である場合には、登録看板レコードに登録されている占用許可時の登録内容を登録看板情報表示ウインドウより直ちに知ることができる。そして、その登録内容と現況が一致しているかどうかを調べ、一致していない場合には現在の状況を未登録看板情報入力ウインドウを用いて、有地占用看板管理サーバの看板データベース４１に未登録看板レコードとして登録することができる。
【００４０】
また、現況調査員は、調査している看板５が、公有地占用看板管理サーバ４の看板データベース４１に対応する登録看板レコードが存在しない看板５、すなわち、占用許可を得ていない看板５である場合には、当該看板５が占用許可を得ていない看板５であることを直ちに知ることができると共に、未登録看板情報入力ウインドウで、当該看板５のＲＦ-ＩＤ１から読み出した記録情報を参照しつつ、その看板５の現在の状況を、公有地占用看板管理サーバ４の看板データベース４１に未登録看板レコードとして登録することができる。
【００４１】
一方で、公有地占用看板管理サーバ４のオペレータは、看板データベース４１に登録された未登録看板レコードより、占用許可を得ていない看板５や、占用許可の登録内容と現況が異なる看板５の現況情報を取得し、その看板５の所有者等に必要な処置をとることができるようになる。
【００４２】
ところで、以上の実施形態では、個々の看板５にひとつずつＲＦ-ＩＤ１を貼付したが、図６ａに示すように複数の看板５が設置されるビルなどでは、別途ＲＦ-ＩＤ設置用の場所６０を設けて、当該設置場所６０に、当該複数の看板５についてのＲＦ-ＩＤ１をまとめて設置するようにしてもよい。この場合のＲＦ-ＩＤ１の設置や看板変更に伴うＲＦ-ＩＤ１の設置、変更は看板設置施工者が行う。
【００４３】
また、たとえば、図６ｂに示すように看板５へのＲＦ-ＩＤ１の貼付位置を、看板５の角とすると共に、携帯端末２２に、ＲＦ-ＩＤ１が発信する電波を用いて距離測量を行う測距部６１と、複数の地点において、測距部６１が測定した看板角までの距離やカメラ２２３で撮影した看板５の画像やＧＰＳ受信機２２６が算出した現在位置などに基づいて画像測量の技術により、看板５の設置位置や取り付け高さや表示面積や突き出し幅などを算出する画像測量部６２を設けるようにしてもよい。なお、画像測量部６２が算出した看板５の設置位置や取り付け高さや表示面積や突き出し幅などは、たとえば、未登録看板情報入力ウインドウの入力ボックス５２５の対応する項目として用いる。
【００４４】
また、以上の実施形態における端末システム２としては、公有地占用看板管理サーバ４と通信を行わない端末システム２も用いることができる。このような端末システム２でも、端末システム２において、ＲＦ-ＩＤ１に記録されている各種情報を読み出して端末システム２に表示することにより、現況調査員の看板５の現況調査を、ある程度効率化することができる。
【００４５】
たとえば、ある看板５に貼付されたＲＦ-ＩＤ１に設置場所、設置看板情報、設置日時、所有者情報などが記録されている場合には、これらの表示より得られる情報より、現況調査員は、この看板５が占用許可を得ている看板５であるかどうかを簡単に調べ出すことができる。そして、この看板５が占用許可を得ていない場合には、その所有者に対して必要な処置をとることができるようになる。
【図面の簡単な説明】
【００４６】
【図１】本発明の実施形態に係る看板管理システムの構成を示すブロック図である。
【図２】本発明の実施形態に係る看板管理システムのＲＦ-ＩＤの記録情報と、公有地占用看板管理サーバの看板データベース及び地図データベースの内容を示す図である。
【図３】本発明の実施形態に係る端末システムにおいて行う看板確認処理を示すフローチャートである。
【図４】本発明の実施形態に係る看板管理システムの動作例を示すシーケンス図である。
【図５】本発明の実施形態に係る端末システムの表示画面を示す図である。
【図６】本発明の実施形態に係る看板管理システムの他の構成例を示す図である。
【符号の説明】
【００４７】
１…ＲＦ-ＩＤ、２…端末システム、３…ＷＡＮ、４…公有地占用看板管理サーバ、５…看板、２１…移動電話機、２２…携帯端末、４１…看板データベース、４２…地図データベース、４４…データ加工部、４５…看板データサーバ、６１…測距部、６２…画像測量部、２２１…インタフェース、２２２…制御部、２２３…カメラ、２２４…操作部、２２５…表示部、２２６…ＧＰＳ受信機、２２７…リーダ。
【図１】
2006209604.tif 000003
【図２】
2006209604.tif 000004
【図３】
2006209604.tif 000005
【図４】
2006209604.tif 000006
【図５】
2006209604.tif 000007
【図６】
2006209604.tif 000008